(57)【要約】【課題】消極的な防塵観念を超越し、積極的な除塵装置をリニア・ガイド・ウエー構体内に備え、従来の方式で軌道上の異物をかき取る代りに、強力なエア・ジェットで吹き飛ばし、軌道と構体内部を清潔に保てる、エア・ジェット式リニア・ガイド・ウエーを提供する。【解決手段】リニア・ガイド・ウエーの滑動体の内部に空気導入部を形成し、その局限された腔部を空気室として利用し、その四方に関する空気引導面を構成し、各引導面の共同作用により、圧縮される圧力化した空気をエア・ジェットの方式で、軌道の外形とサイズに合致するように形成された噴射道より噴出させて、軌道上の異物を吹き飛ばすようにした。本機は特に、重度の汚染環境下で使用できる。【選択図】　　図１
2004116743.tif 000002
【特許請求の範囲】
【請求項１】
一種のリニア・ガイド・ウエーであって、
両側に平行なローリング・グルーブ（ｒｏｌｌｉｎｇ　ｇｒｏｏｖｅ）を備えた、一本の限りある長さの細長い軌道と、
前記軌道のローリング・グルーブに対応したローリング・グルーブとローリング・ボール（ｒｏｌｌｉｎｇ　ｂａｌｌ）の循環回路を有して、前記軌道上を滑走する滑動体と、
前記対応した２本のローリング・グルーブ内で転動して、前記滑動体と軌道間との摩擦抵抗を軽減する複数の前記ローリング・ボールと、
前記滑動体の内部に形成された、空気導入部の局限された腔部よりなる空気室と前記軌道の外形とサイズに合致するように形成された噴射道とを含むことを特徴とする、エア・ジェット式リニア・ガイド・ウエー。
【請求項２】
前記空気室に導入された空気は、前記局限された腔部の空気室の四方に形成された、空気引導面の共同作用により圧縮されて圧力化し、エア・ジェットとして、前記軌道の外形とサイズに合致するように形成された、噴射道より噴出することを特徴とする、請求項１記載のエア・ジェット式リニア・ガイド・ウエー。
【請求項３】
前記空気導入部には１つのふたが取り付けられていて、前記空気導入部内の局限された腔部は、前記ふたと、前記空気導入部により形成されていることを特徴とする、請求項１記載のエア・ジェット式リニア・ガイド・ウエー。
【請求項４】
前記ふたは金属材料よりなることを特徴とする、請求項１記載のエア・ジェット式リニア・ガイド・ウエー。
【発明の詳細な説明】
【０００１】
【産業上の利用分野】
本発明はエア・ジェット式リニア・ガイド・ウエーに関するもので、特に、異物除去用の空気を噴射する空気室を備え、軌道上に付着したいろいろな大小の異物、残渣、油垢、粉塵などを吹飛ばして、本機構全体を清潔に保ち、又、重度汚染環境下に特に適用できる、エア・ジェット式リニア・ガイド・ウエーに関するものである。
【０００２】
【従来の技術】
従来の技術によって構成されたリニア・ガイド・ウエーの部分的断面図を、図７によって説明しよう。このリニア・ガイド・ウエーは、軌道１０と、滑動体２０と、２つのエンド・カバー（ｅｎｄ　ｃｏｖｅｒ）３０とにより構成されている。エンド・カバー３０には、カバー本体７ｂと複数のローリング・ボール５ｂと、清掃板４０が含まれている。このエンド・カバー３０は、ねじ６ｂにて滑動体２０の両端部に締め付けられている。軌道１０と滑動体２０は、各自のローリング・グルーブの上に乗っていて、ローリング・ボール５ｂは両グルーブの中で循環して軌道１０と滑動体２０の間の摩擦による抵抗を軽減するのである。滑動体２０の両端部にあるエンド・カバー３０は、運動中の滑動体２０の方向転換の役割を果たす。滑動体２０が軌道１０上を行進中、ローリング・ボール５ｂは両グルーブの中を転がりながら前進し、エンド・カバー３０を通り、滑動体２０の中に設けられた循環孔（図示なし）に至り、再び両グルーブ内に回帰して、一回の循環を完了するのである。清掃板４０は、軌道１０にへばりついている、いろいろな大小の異物、残渣、油垢、粉塵などをかき取って本機の運行をスムースにし、また、これら異物の構体内に侵入して故障の原因となるのを防止するのである。
【０００３】
特に精密機械工業に使用されるリニア・ガイド・ウエーにおいては、塵埃除去は非常に重視されており、ただ、消極的に清掃板４０で異物をかき取るだけではだめである。清潔板で大きい効果を上げるためには、その形状を軌道の外形とサイズに、ぴったり合わさなければ、小さいゴミ、特に粉塵を徹底的に除去しえない。然し、ぴったり合いすぎても清掃板と軌道の間に余計な摩擦力が生じて、清掃板と軌道の早期磨滅に繋がり、本機の寿命が短縮される。この両者間の兼合が非常に難しい。
【０００４】
以上の事情に鑑み、このような欠点を改善せんがため、本願の発明者は、多年当業に従事している経験に基づき、長期の苦心研鑚の結果、遂に本願のエア・ジェット式リニア・ガイド・ウエー開発の成功を見るに至った。以下にこれを開示する。
【０００５】
【発明が解決しようとする課題】
消極的な防塵観念を超越し、積極的な除塵装置をリニア・ガイド・ウエー構体内に備え、従来の方式で軌道上の異物をかき取る代りに、強力なエア・ジェットで吹き飛ばし、リニア・ガイド・ウエーの軌道と構体内部を清潔に保てる、エア・ジェット式リニア・ガイド・ウエーの提供が本発明の目的である。
【０００６】
【課題を解決するための手段】
上記の目的、即ち課題を達成するため、本発明によるリニア・ガイド・ウエーではその滑動体の内部に空気導入部を形成し、空気導入部の局限された腔部を空気室として利用し、その四方に空気引導面を構成し、各引導面の共同作用により、圧縮されて圧力化した空気をエア・ジェットの方式で、軌道の外形とサイズに合致するように形成された噴射道より噴出させて、軌道上の異物を吹き飛ばすようにした。
【０００７】
本発明によるエア・ジェット式リニア・ガイド・ウエーのその他の特徴、優点や運用に関しては、明細書に添付した図面を参考にして、以下説明する実施例の内容をご覧になっていただきたい。
【０００８】
【発明の実施の形態】
図１は、本発明によるエア・ジェット式リニア・ガイド・ウエーの立体図である。本機は図１に示すように、軌道１０と、滑動体部と、両者の間で転動する複数のローリング・ボール（図示せず）よりなる。滑動体部には、滑動体部２０と、２つのエンド・カバー３０と、２枚の清掃板４０と、２つの空気導入部５０と、２枚のふた６０を含んでいる。そして空気導入部５０５０の中には、各々１つの空気室５６（図２参照）がある。
【０００９】
本発明による、エア・ジェット式リニア・ガイド・ウエーの作用原理を一層深く理解するには、図２、３、４、を参考にしていただきたい。図２は図１の空気導入部の正面図であり、図３は図２の側面図であり、図４は図３の空気導入部を線段Ａ−Ａに沿って切った断面図である。これらの図面で分かるようにふた６０は空気導入部５０の四隅のねじ穴５２にしっかりねじ止めされている。空気導入部５０の両側に設けられた空気導入孔５１は、空気を空気室５６に導入するためのものである。更に、図５と図６をも図２〜４と共に参照する。図５は図２を線段Ｂ−Ｂに沿って切った断面図であり、図６は図２を線段Ｃ−Ｃに沿って切った断面図である。これらの図面を互いに照合すれば、空気導入部５０の中の空気室５６は四方を上部空気引導平面５６１（図５）と、両側の空気引導平面５６２（図６）と、上部空気引導斜面５６３（図５）と、両側の空気引導斜面５６４（図６）とにより囲まれいることが分かる。これらの面５６１、５６２、５６３、５６４の共同作用により、空気導入孔５１から導入された空気は、空気導入部５０の局限された腔部にある空気室５６内に押込まれ、圧縮されて圧力化し、圧縮空気となる。この圧縮空気は、エア・ジェットとなって空気室５６から軌道１０の外形とサイズによく合致した噴射道５３、５４より噴射され、強烈な気流となって軌道１０上やその付近に堆積している異物を吹飛ばして、徹底した清掃の目的を果たすのである。なお、空気導入部５０のふた６０は、金属材料にて構成されているから強靱である。
【００１０】
【発明の効果】
以上の説明により、本発明によるエア・ジェット式リニア・ガイド・ウエーには従来品にない下記の優点を有することが分かる。
１．強力な気流で異物を吹飛ばすので、軌道の清掃が徹底でき、本機は塵埃による機能の低下や喪失の心配がない。
２．本機の使用寿命が延長し、これは運営コストの節減につながる。
３．本機は重度の汚染環境下に特に適用できる。
【００１１】
本発明は、本発明の技術的構想から逸脱することなく、他の種々の形態で実施することができる。前述の実施例はあくまでも、本発明の技術内容を明らかにするだけのものであって、このような具体例のみに限定して本発明を狭義に解釈すべきものではなく、本発明の精神と特許請求項の範囲内でいろいろと変更して実施することができるものである。
【図面の簡単な説明】
【図１】本発明による、エア・ジェット式リニア・ガイド・ウエーの立体図である。
【図２】図１の空気導入部の正面図である。
【図３】図２の側面図である。
【図４】図３の空気導入部を線段Ａ−Ａに沿って、切った断面図である。
【図５】図２を線段Ｂ−Ｂに沿って切った断面図である。
【図６】図２を線段Ｃ−Ｃに沿って切った断面図である。
【図７】従来のリニア・ガイド・ウエーの部分的断面図である。
【符号の説明】
１０　　　　軌道
２０　　　　滑動体
３０　　　　エンド・カバー
４０　　　　清掃板
５０　　　　空気導入部
６０　　　　ふた
５１　　　　空気導入口
５２　　　　ねじ穴
５３、５４　空気噴射道
５６　　　　空気室
５６１　　　上部空気引導平面
５６２　　　両側空気引導平面
５６３　　　上部空気引導斜面
５６４　　　両側空気引導斜面
５ｂ　　　　ローリング・ボール
６ｂ　　　　ねじ
【図１】
2004116743.tif 000003
【図２】
2004116743.tif 000004
【図３】
2004116743.tif 000005
【図４】
2004116743.tif 000006
【図５】
2004116743.tif 000007
【図６】
2004116743.tif 000008
【図７】
2004116743.tif 000009